(57)【要約】【課題】排雪シューターの排雪方向及び排雪角度を操作する為の操作構造であって、排雪方向の微調整を容易に行うことができ、且つ、使用者がその時点での排雪方向を極めて容易に確認することのできる構造簡単な排雪シューターの操作構造を提供する。【解決手段】排雪シューター６０の排雪方向及び排雪角度を操作する為の操作構造９０は、基準軸線回りに回転操作可能なダイヤル操作部材９１を備え、前記ダイヤル操作部材９１の基準軸線回りの周方向位置に基づき前記排雪シューター６０の排雪方向を制御するように構成されている。【選択図】図３
2007247205.tif 000002
【特許請求の範囲】
【請求項１】
排雪シューターの排雪方向及び排雪角度を操作する為の操作構造であって、
基準軸線回りに回転操作可能なダイヤル操作部材を備え、前記ダイヤル操作部材の基準軸線回りの周方向位置に基づき前記排雪シューターの排雪方向を制御するように構成したことを特徴とする排雪シューターの操作構造。
【請求項２】
前記ダイヤル操作部材には、基準軸線回りの周方向位置を視認可能な視認部材が設けられていることを特徴とする請求項１に記載の排雪シューターの操作構造。
【請求項３】
前記ダイヤル操作部材と共に基準軸線回りに一体回転し得るように該ダイヤル操作部材の上面に設けられた排雪角度操作スイッチを備え、
前記排雪角度操作スイッチは排雪角度を変更操作する部材として作用すると共に、前記視認部材としても作用するように構成されていることを特徴とする請求項２に記載の排雪シューターの操作構造。
【請求項４】
前記排雪角度操作スイッチは、上方操作スイッチ及び下方操作スイッチを一体的に有するシーソースイッチとされていることを特徴とする請求項３に記載の排雪シューターの操作構造。
【請求項５】
前記ダイヤル操作部材は、除雪機における操作ハンドル近傍に配置されていることを特徴とする請求項１から４の何れかに記載の排雪シューターの操作構造。
【発明の詳細な説明】
【技術分野】
【０００１】
本発明は、除雪機における排雪シューターの操作構造に関する。
【背景技術】
【０００２】
除雪機は、旋回軸線回り回転可能とされた排雪シューター本体と該排雪シューター本体に上下方向揺動可能に設けられたデフレクターとを有する排雪シューターを備えており、前記排雪シューター本体を旋回軸線回りに回転させることで排雪方向を変更すると共に、前記デフレクターを上下に揺動させることで排雪角度を変更し得るように構成されている。
【０００３】
斯かる排雪シューターの操作構造として、例えば、下記特許文献１には、左右方向に揺動操作可能とされた操作レバーと、前記操作レバーの左右方向への揺動を検出する左右方向センサーと、前記排雪シューター本体を旋回軸線回りに駆動する回動モータと、前記操作レバー本体を支持するレバー取付板であって、前記操作レバーの前後方向への揺動操作に基づき枢支軸回りに前後へ揺動するレバー取付板と、前記レバー取付板及び前記デフレクターを連結する操作ワイヤとを備え、前記操作レバーの左又は右方向への揺動時間に応じて前記排雪シューター本体を前記回動モータによって旋回軸線回りに対応する方向へ旋回させると共に、前記操作レバーの前後方向へ揺動位置に応じて前記操作ワイヤを介して前記デフレクターを上下方向へ揺動させる操作構造が記載されている。
【０００４】
前記特許文献１に記載の操作構造は、単一の前記操作レバーによって排雪方向及び排雪角度の双方が操作可能とされている点においては有効であるが、前記排雪シューターの旋回角度の微調整が困難であり、又、前記排雪シューターの旋回位置を確認することができないという問題があった。
【０００５】
即ち、前記特許文献１に記載の操作構造においては、前記操作レバーを左右方向へ傾倒している間のみ前記排雪シューター本体が旋回軸線回りに対応する方向へ回動するように構成されている。
斯かる構成では、前記排雪シューター本体を旋回軸線回りに微調整する操作が困難になると共に、前記操作レバーを視ただけでは前記排雪シューター本体の旋回軸線回り位置を確認することができない。
【特許文献１】実開平６−３０２１４号公報
【発明の開示】
【発明が解決しようとする課題】
【０００６】
本発明は、前記従来技術に鑑みなされたものであり、排雪シューターの排雪方向及び排雪角度を操作する為の操作構造であって、排雪方向の微調整を容易に行うことができ、且つ、使用者がその時点での排雪方向を極めて容易に確認することのできる構造簡単な排雪シューターの操作構造の提供を一の目的とする。
【課題を解決するための手段】
【０００７】
本発明は、前記課題を解決するため、排雪シューターの排雪方向及び排雪角度を操作する為の操作構造であって、基準軸線回りに回転操作可能なダイヤル操作部材を備え、前記ダイヤル操作部材の基準軸線回りの周方向位置に基づき前記排雪シューターの排雪方向を制御するように構成したことを特徴とする排雪シューターの操作構造を提供する。
【０００８】
好ましくは、前記ダイヤル操作部材には、基準軸線回りの周方向位置を視認可能な視認部材が設けられ得る。
なお、前記視認部材には、突起からなるもの又はインクやシール等を付した目印となるものが含まれる。
【０００９】
本発明に係る排雪シューターの操作構造において、好ましくは、前記ダイヤル操作部材と共に基準軸線回りに一体回転し得るように該ダイヤル操作部材の上面に設けられた排雪角度操作スイッチを備え得る。さらに好ましくは、前記排雪角度操作スイッチは排雪角度を変更操作する部材として作用すると共に、前記視認部材としても作用するように構成され得る。
【００１０】
前記排雪角度操作スイッチの具体的態様としては、上方操作スイッチ及び下方操作スイッチを一体的に有するシーソースイッチとされている態様を例示できる。
【００１１】
本発明に係る排雪シューターの操作構造において、好ましくは、前記ダイヤル操作部材は、除雪機における操作ハンドル近傍に配置されている。
斯かる構成には、前記ダイヤル操作部材が前記操作ハンドルに直接的に設けられている構成を含む。
【発明の効果】
【００１２】
本発明に係る排雪シューターの操作構造によれば、前記ダイヤル操作部材の基準軸線回りの周方向位置に基づき前記排雪シューターの排雪方向を制御するように構成されているので、排雪方向の微調整を容易に行うことができ、且つ、使用者がその時点での排雪方向を極めて容易に確認することができる。
【００１３】
又、前記ダイヤル操作部材に基準軸線回りの周方向位置を視認可能な視認部材が設けられている場合には、前記ダイヤル操作部材の基準軸線回りの周方向位置を容易に認識することができ、ひいては前記排雪シューターの排雪方向を容易に認識することができる。
【００１４】
又、前記ダイヤル操作部材と共に基準軸線回りに一体回転し得るように該ダイヤル操作部材の上面に設けられた排雪角度操作スイッチを備えている場合には、例えば、前記排雪シューターの排雪方向と排雪角度との調整を作業者の一方の手のみで操作することが可能となり、それだけ前記ダイヤル操作部材及び前記排雪角度操作スイッチの操作性の向上を図ることができる。
又、前記排雪角度操作スイッチは排雪角度を変更操作する部材として作用すると共に、前記視認部材としても作用するように構成されている場合には、排雪角度を変更操作する作用と、基準軸線回りの周方向位置を視認する作用とを一の部材で実現でき、それだけ省スペース化且つ低コスト化を実現できる。
【００１５】
又、前記ダイヤル操作部材は、除雪機における操作ハンドル近傍に配置されている場合には、前記操作ハンドルの近傍で前記ダイヤル操作部材の操作を行えるので、それだけ前記ダイヤル操作部材及び前記操作ハンドルの操作性を向上させることができる。
【発明を実施するための最良の形態】
【００１６】
以下、本発明の好ましい実施の形態につき、添付図面を参照しつつ説明する。
図１は、本実施の形態に係る排雪シューター６０の操作構造９０を備えた除雪機１００の全体斜視図である。
【００１７】
図１に示す除雪機１００は、クローラ式走行装置１０上に機体フレーム２０が載置され、該機体フレーム２０の車体前後方向（図中Ｘ方向）後方にエンジン３０が、前方にオーガ部４０が配設されている。
【００１８】
前記オーガ部４０と前記エンジン３０との間には、図示しないブロワーが配置され、該ブロワーの上方にシューター台５０が配設されている。前記排雪シューター６０は、該シューター台５０上に設けられている。又、前記排雪シューター６０の側方には、蓄電池１１０が取り付けられている。
【００１９】
前記機体フレーム２０の後部には、車体幅方向（図中Ｙ方向）に離間配置された左右一対の操作ハンドル（ここでは角型ハンドル）７０が設けられている。
この左右一対の操作ハンドル７０は、斜め後上方に延出され且つ途中で後方に屈曲されている。
前記エンジン３０の後部には、操作部８０が設けられており、該操作部８０に前記排雪シューター６０の操作構造９０が設けられている。この操作構造９０については後述する。
【００２０】
次に、前記排雪シューター６０について詳述する。
前記排雪シューター６０は、旋回軸線回り回転可能とされた排雪シューター本体６１と、該排雪シューター本体６１の先端部に上下方向揺動可能に設けられたデフレクター６２とを備えており、前記排雪シューター本体６１を旋回軸線回りに回転させることによって排雪方向が変更され、且つ、前記デフレクター６２の前記排雪シューター本体６１に対する上下角度を変更することによって排雪角度が変更されるように構成されている。
【００２１】
詳しくは、前記排雪シューター６０は、前記排雪シューター本体６１と、前記デフレクター６２とに加えて、前記排雪シューター本体６１を旋回軸線回りに回転させる旋回アクチュエーター６３（図１では図示せず、後述する図４参照）と、前記デフレクター６２を上下方向に揺動させる揺動アクチュエーター６４（図１では図示せず、図４参照）とを備えている。
前記排雪シューター本体６１は、前記シューター台５０に旋回軸線回り回転可能に立設されている。
前記排雪シューター本体６１の先端部には、前記デフレクター６２が上下方向揺動可能に枢支されている。
【００２２】
前記旋回アクチュエーター６３は、前記シューター台５０内に設けられており、前記揺動アクチュエーター６４は、前記排雪シューター本体６１内に設けられている。
次に、前記排雪シューター６０の操作構造９０について詳述する。
【００２３】
図２は、前記操作ハンドル７０及び前記操作部８０部分を示す模式平面図であり、図３は、前記排雪シューター６０の操作構造９０部分を拡大した模式拡大図であって、図３（ａ）は、その平面図であり、図３（ｂ）は、その側面図である。又、図４は、前記排雪シューター６０の操作構造９０の電気的なブロック構成図である。
なお、図２において、符号８１は、走行無段変速レバーを、８２は走行クラッチレバーを、８３はオーガ・ブロワクラッチレバー８３をそれぞれ示している。
【００２４】
本発明の実施に係る操作構造９０は、前記排雪シューター６０の排雪方向及び排雪角度を操作する為のものであり、基準軸線回りに回転操作可能なダイヤル操作部材９１を備え、前記ダイヤル操作部材９１の基準軸線回りの周方向位置に基づき前記排雪シューター６０の排雪方向を制御するように構成されている。
本発明の実施に係る操作構造９０によれば、前記ダイヤル操作部材９１の基準軸線回りの周方向位置に基づき前記排雪シューター６０の排雪方向を制御するように構成されているので、排雪方向の微調整を容易に行うことができ、且つ、使用者がその時点での排雪方向を極めて容易に確認することができる。
【００２５】
さらに説明すると、前記操作構造９０は、前記ダイヤル操作部材９１に加えて、制御装置９２を備えている（図４参照）。
詳しくは、前記ダイヤル操作部材９１は、ここでは無段又は有段の可変抵抗器からなるシューター調節ダイヤルとされている。
前記制御装置９２は、制御部９２１及び記憶部９２２を備えている。
具体的には、前記制御部９２１は、中央処理装置（以下、ＣＰＵという）からなり、各種演算処理を実行する制御演算手段を含んでいる。
前記記憶部９２２には、制御プログラムや必要な関数が記憶されており、例えば、ＲＯＭ及びＲＡＭを含んでいる。
【００２６】
前記制御装置９２は、前記ダイヤル操作部材９１からのダイヤル調整信号に基づいて、前記旋回アクチュエーター６３を作動制御するように構成されている。
詳しくは、前記制御装置９２には、前記ダイヤル操作部材９１のダイヤル基準位置が前記排雪シューター６０の排雪方向のシューター基準位置に対応して設定されている。
そして、前記制御装置９２は、前記ダイヤル操作部材９１が基準軸線回りに調整されることで、前記排雪シューター６０が前記ダイヤル基準位置からの回転角度に同期した前記シューター基準位置からの旋回角度になるように、前記旋回アクチュエーター６３を作動制御するように構成されている。
【００２７】
具体的には、前記旋回アクチュエーター６３は、ここでは、前記排雪シューター本体６１を旋回軸線回りに回転駆動するシューター本体駆動用モータ６３１を備えている。
この旋回アクチュエーター６３は、前記シューター本体駆動用モータ６３１のピニオン或いはウォーム（図示省略）とこれに噛み合った前記排雪シューター本体６１の基部におけるラック（図示省略）によって該シューター本体６１を旋回軸線回りに回転させるように構成されている。
前記シューター本体駆動用モータ６３１は、前記制御装置９２からの作動信号が入力されるように、該制御装置９２の出力系に電気的に接続されている（図４参照）。
前記シューター調節ダイヤル９１は、人為操作によって可変される電気抵抗値の信号が前記制御装置９２に送信されるように、該制御装置９２の入力系に電気的に接続されている（図４参照）。
前記制御装置９２は、前記記憶部９２２に前記排雪シューター本体６１の排雪方向のシューター基準位置に対応して設定された前記シューター調節ダイヤル９１の基準電気抵抗値（ダイヤル基準位置）が記憶されている。
そして、前記制御装置９２は、前記シューター調節ダイヤル９１が基準軸線回り平面視時計方向Ａ１又は反時計方向Ａ２に回されることで、前記排雪シューター本体６１をそれぞれ旋回軸線回り平面視時計方向Ａ１’又は反時計方向Ａ２’に回転させるように、且つ、前記排雪シューター本体６１がダイヤル基準位置（基準電気抵抗値）からの回転角度（抵抗変化量）に同期した前記排雪シューター基準位置からの旋回角度になるように、前記シューター本体駆動用モータ６３１に作動信号を送信するように構成されている。
【００２８】
又、本発明の実施に係る操作構造９０において、前記ダイヤル操作部材９１には、基準軸線回りの周方向位置を視認可能な視認部材９３が設けられている（図２及び図３参照）。
斯かる構成を備えることにより、前記操作構造９０は、前記ダイヤル操作部材９１の基準軸線回りの周方向位置を容易に認識することができ、ひいては前記排雪シューター６０の排雪方向を容易に認識することができる。
【００２９】
又、本発明の実施に係る操作構造９０は、前記ダイヤル操作部材９１と共に基準軸線回りに一体回転し得るように該ダイヤル操作部材９１の上面に設けられた排雪角度操作スイッチ９４をさらに備えている（図２及び図３参照）。
斯かる構成を備えることにより、前記操作構造９０は、例えば、前記排雪シューター６０の排雪方向と排雪角度との調整を作業者の一方の手のみで操作することが可能となり、それだけ前記ダイヤル操作部材９１及び前記排雪角度操作スイッチ９４の操作性の向上を図ることができる。
【００３０】
又、前記排雪角度操作スイッチ９４は排雪角度を変更操作する部材として作用すると共に、前記視認部材９３としても作用するように構成されている。
斯かる構成を備えることにより、前記操作構造９０は、排雪角度を変更操作する作用と、基準軸線回りの周方向位置を視認する作用とを一の部材９３，９４で実現でき、それだけ省スペース化且つ低コスト化を実現できる。
【００３１】
さらに説明すると、前記排雪角度操作スイッチ９４は、第１操作スイッチ９４１及び第２操作スイッチ９４２を有し、該第１操作スイッチ９４１及び第２操作スイッチ９４２が平面視において長手方向及び短手方向を有するように構成されている。
好ましくは、前記排雪角度操作スイッチ９４は、前記ダイヤル操作部材９１が前記基準位置に位置する際に前記第１操作スイッチ９４１及び第２操作スイッチ９４２の長手方向が上下方向に沿うと共に、該第１操作スイッチ９４１が上方に位置するように、且つ、該操作スイッチ９４２が下方に位置するように配置され得る。以下、前記第１操作スイッチ９４１部を上方操作スイッチといい、前記第２操作スイッチ９４２を下方操作スイッチという。
【００３２】
具体的には、前記揺動アクチュエーター６４は、ここでは、前記デフレクター６２を上下方向に揺動駆動するデフレクター駆動用シリンダー６４１と、該シリンダー６４１を作動させるシリンダー駆動部６４２とを備えている（図４参照）。
前記シリンダー駆動部６４２は、前記制御装置９２からの作動信号が入力されるように、該制御装置９２の出力系に電気的に接続されている（図４参照）。
前記排雪角度操作スイッチ９４は、前記上方操作スイッチ９４１及び下方操作スイッチ９４２を一体的に有するシーソースイッチとされている。
詳しくは、前記排雪角度操作スイッチ９４は、前記上方操作スイッチ９４１及び前記下方操作スイッチ９４２が操作されていないときは第１操作状態（例えば、遮断状態）に付勢されており、前記上方操作スイッチ９４１又は前記下方操作スイッチ９４２が押圧操作されているときだけ第２操作状態（例えば、通電状態）をとり得るように構成された２連式プッシュスイッチとされている。
【００３３】
前記排雪角度操作スイッチ９４は、前記上方操作スイッチ９４１及び下方操作スイッチ９４２からの人為操作入力信号が前記制御装置９２に送信されるように、該制御装置９２の入力系に電気的に接続されている（図４参照）。
前記制御装置９２は、前記シーソースイッチ９４の前記上方操作スイッチ９４１が前記第２操作状態とされることで該第２操作状態とされているときだけ前記デフレクター６２が上方に揺動するように、且つ、前記シーソースイッチ９４の前記下方操作スイッチ９４２が前記第２操作状態とされることで該第２操作状態とされているときだけ前記デフレクター６２が下方に揺動するように前記シリンダー駆動部６４２に作動信号を送信するように構成されている。
【００３４】
又、本発明の実施に係る操作構造９０において、前記ダイヤル操作部材９１は、図２に示すように、前記除雪機１００における操作ハンドル７０近傍に配置されている。
斯かる構成を備えることにより、前記操作構造９０は、前記操作ハンドル７０の近傍で前記ダイヤル操作部材９１の操作を行えるので、それだけ前記ダイヤル操作部材９１及び前記操作ハンドル７０の操作性を向上させることができる。
【図面の簡単な説明】
【００３５】
【図１】図１は、本実施の形態に係る排雪シューターの操作構造を備えた除雪機の全体斜視図である。
【図２】図２は、操作ハンドル及び操作部部分を示す模式平面図である。
【図３】図３は、排雪シューターの操作構造部分を拡大した模式拡大図であって、図３（ａ）は、その平面図であり、図３（ｂ）は、その側面図である。
【図４】図４は、排雪シューターの操作構造の電気的なブロック構成図である。
【符号の説明】
【００３６】
６０…排雪シューター  ７０…操作ハンドル  ９０…操作構造  
９１…ダイヤル操作部材  ９３…視認部材９３  ９４…排雪角度操作スイッチ  
９４１…上方操作スイッチ  ９４２…下方操作スイッチ  １００…除雪機  
【図１】
2007247205.tif 000003
【図２】
2007247205.tif 000004
【図３】
2007247205.tif 000005
【図４】
2007247205.tif 000006